(57)【要約】【課題】吹き出し口の通風抵抗増加を最小限に抑えつつ、バサツキ音を抑制した、静粛性の高い空気調和機を提供する。【解決手段】クロスフローファン２５と、リアガイダ２８と、熱交換器２６を備え、前記リアガイダ２８の一端から他端まで連続する凸状部３０を設け、前記凸状部３０に前記クロスフローファン２５の逆回転方向に仕切板３１を適宜配置したもので、前記凸状部３０に乱れた渦が発生したとしても、クロスフローファン２５の回転軸方向に伝播するのが抑制されるので、バサツキ音を抑制した空気調和機を提供することが出来る。【選択図】図２
2014031951.tif 000002
【特許請求の範囲】
【請求項１】
クロスフローファンと、リアガイダと、熱交換器を備え、前記リアガイダの一端から他端まで連続する凸状部を設け、前記凸状部に前記クロスフローファンの逆回転方向に仕切板を適宜配置したことを特徴とする空気調和機。
【請求項２】
クロスフローファンは、複数のファン体を組み合わせて構成され、前記ファン体の結合部と仕切板を、空気の流れ方向に於いて同位置に位置させたことを特徴とする請求項１に記載の空気調和機。
【請求項３】
仕切板とクロスフローファンとの最近接距離（Ｚ）と、凸状部と前記クロスフローファンの最近接距離（Ｙ）の関係をＺ＞Ｙとしたことを特徴とする請求項１又は２に記載の空気調和機。
【発明の詳細な説明】
【技術分野】
【０００１】
本発明は、住宅などの空調に用いられる空気調和機に関するもので、特に、クロスフローファンを備えた空気調和機の室内機に関するものである。
【背景技術】
【０００２】
従来、この種のクロスフローファンを備えた空気調和機の室内機は、クロスフローファン端部においては、壁面との摩擦損失が生じ、両端部の空気の吹き出し速度は他の部分に比べて小さくなり、不安定空気流や逆吸い込みを起こしやすい。この不安定空気流や逆吸い込みといった空気流の乱れにより耳障りな騒音（サージング）が発生するという課題を有していた。
【０００３】
そこで、リアガイダの少なくとも一方の端部のクロスフローファン近傍から吹き出し口の間に略立方体形状のブロックや、側断面形状が略三角形のブロックを設けて、端部の吹き出し速度を改善し、逆吸い込みを防止し、吹き出し風向きを偏向した場合でも、空気流の乱れを抑制するようにしている。また、エアフィルタに埃が堆積することなどにより通風抵抗が大きくなった時に生じるバサバサという断続的異常音（バサツキ音、サージング）を低減している（例えば、特許文献１参照）。
【０００４】
図５は、上記特許文献１に記載された従来の空気調和機の室内機の要部斜視図である。図５に示すように、従来の空気調和機の室内機は、ケーシングを構成するスタビライザ７とリアガイダ９との間に配設されたクロスフローファン５と、スタビライザ７とリアガイダ９とで構成され空気を吹き出す吹き出し口１１と、吹き出し口１１に設けられ吹き出し風向を偏向するルーバー１０とを備えて、送風回路を構成し、リアガイダ９の少なくとも一方の端部の前記ファン５近傍から前記吹き出し口１１までの間にブロック８が設けられていた。
【先行技術文献】
【特許文献】
【０００５】
【特許文献１】特開平５−８７０８７号公報
【発明の概要】
【発明が解決しようとする課題】
【０００６】
しかしながら、前記特許文献１に記載された従来の空気調和機の構成では、ブロック８による効果により、流れの軸方向乱れを抑制し、空気の流れを整流させてバサツキ音（サージング）を抑え、空気の流れを円滑にすることができるが、一方で吹き出し口１１の通風抵抗が大きくなるという課題を有していた。
【０００７】
また、サージング発生時にはリアガイダ９とクロスフローファン５の最近接部近傍でも乱れた渦が発生するが、これに対する対応は不十分であった。
【０００８】
本発明は、上記従来の課題を解決するもので、吹き出し口の通風抵抗増加を最小限に抑えつつ、バサツキ音を抑制した、静粛性の高い空気調和機を提供することを目的とする。
【課題を解決するための手段】
【０００９】
前記従来の課題を解決するために、本発明の空気調和機は、クロスフローファンと、リアガイダと、熱交換器を備え、前記リアガイダの一端から他端まで連続する凸状部を設け、前記凸状部に前記クロスフローファンの逆回転方向に仕切板を適宜配置したもので、前
記凸状部に乱れた渦が発生したとしても、クロスフローファンの回転軸方向に伝播することが抑制されるので、バサツキ音を抑制した空気調和機を提供することが出来る。
【発明の効果】
【００１０】
本発明の空気調和機は、吹き出し口の通風抵抗増加を最小限に抑えつつ、バサツキ音を抑制した、静粛性の高い空気調和機を提供することが出来る。
【図面の簡単な説明】
【００１１】
【図１】本発明の実施の形態１における空気調和機の室内機の斜視図
【図２】同室内機の断面図
【図３】同室内機のリアガイダを正面から見た模式図
【図４】同室内機の要部拡大断面図
【図５】従来の空気調和機の室内機の内部構成を示す要部斜視図
【発明を実施するための形態】
【００１２】
第１の発明は、クロスフローファンと、リアガイダと、熱交換器を備え、前記リアガイダの一端から他端まで連続する凸状部を設け、前記凸状部に前記クロスフローファンの逆回転方向に仕切板を適宜配置したもので、前記凸状部に乱れた渦が発生したとしても、クロスフローファンの回転軸方向に伝播することが抑制されるので、バサツキ音を抑制した空気調和機を提供することが出来る。
【００１３】
第２の発明は、特に、第１の発明のクロスフローファンは、複数のファン体を組み合わせて構成され、前記ファン体の結合部と仕切板を、空気の流れ方向に於いて同位置に位置させたもので、ファン体の結合部には空気の流れがないため、仕切板を配置しても、通風抵抗の増加を最小限に抑制することが出来る。
【００１４】
第３の発明は、特に、第１又は第２の発明の仕切板とクロスフローファンとの最近接距離（Ｚ）と、凸状部と前記クロスフローファンの最近接距離（Ｙ）の関係をＺ＞Ｙとしたもので、凸状部はクロスフローファンの上流と下流を隔てる隔壁となっており、Ｚ＞Ｙとすることで凸状部をクロスフローファンとの最近接部とすることが出来るので、仕切部を設置しても空力特性が低下することはない。
【００１５】
以下、本発明の実施の形態について、図面を参照しながら説明する。なお、この実施の形態によって本発明が限定されるものではない。
【００１６】
（実施の形態１）
図１は、本発明の実施の形態１における空気調和機の室内機の斜視図、図２は、同室内機の断面図（室内機をクロスフローファンの軸方向に見た断面図）、図３は、同室内機のリアガイダを正面から見た模式図である。
【００１７】
図１および図２において、本実施の形態における空気調和機の室内機１の本体１ａは、台枠２と、この台枠２の前方に取り付けられた前面カバー３とからなり、台枠２および前面カバー３の上部には吸い込みグリル４が設けられている。本体１ａ内には、クロスフローファン２５と、クロスフローファン２５の上部を囲むように配された熱交換器２６と、熱交換器２６の下部に配され、熱交換器２６で凝結した結露水を受ける結露水受けを兼ねたスタビライザ２７とリアガイダ２８とからなるケーシング２９が設けられ、ケーシング２９は、クロスフローファン２５と対向するように配置されると共に、所定の距離を保つように構成されている。
【００１８】
リアガイダ２８とクロスフローファン２５とは、略平行に設けられている。これにより
、両者が斜交するなど位置関係が変化するものに比べ２次元性が高くなっている。このため、空力特性が向上している。
【００１９】
リアガイダ２８には、凸状部３０が設けられている。凸状部３０は、リアガイダ２８を室内機１の本体１ａのクロスフローファン２５の軸方向に見たときに、リアガイダ２８のうちでクロスフローファン２５との離間距離が一番近い部位である。すなわち、凸状部３０は、リアガイダ２８のうちでクロスフローファン２５に最近接している部位である。このクロスフローファン２５とリアガイダ２８との間の離間距離の大きさを距離Ｙとする。
【００２０】
図３は、リアガイダ２８を正面から見た模式図である。この図において空気は、リアガイダ２８に沿ってリアガイダ２８の上方からリアガイダ２８の下方に流れる。
【００２１】
凸状部３０はリアガイダ２８の左端から右端にわたってなめらかな稜線を形成する。  図２に示すように、凸状部３０上に接触する形で仕切板３１を配置する。この仕切板３１は、クロスフローファン２５の回転方向Ｒにおいて逆方向側（すなわち上部）に位置する。
【００２２】
ところで、凸状部３０の近傍におけるクロスフローファン２５の動作時の流線は、図４に示すように、凸状部３０上のクロスフローファン２５の回転方向Ｒにおいて逆方向側（すなわち上部）に渦を形成する。
【００２３】
これは凸状部３０が、クロスフローファン２５の吸い込み側（すなわち上流）と吹き出し側（すなわち下流）を隔てる隔壁として機能しているからであり、通常（すなわちサージングが発生していない状態）では、図示した位置に渦が定在することになる。
【００２４】
ここでサージングが発生した状態は、凸状部３０の近傍においては、定在していた渦の大きさの変化、および位置の変化が生じている。
【００２５】
本実施の形態のように、クロスフローファン２５を用いた空気調和機においては、クロスフローファン２５の中央部ではほぼ２次元流れが形成されているが、サージングが発生している状態では、２次元流れがくずれて３次元流れが生じる。この３次元流れがクロスフローファン２５の軸方向に伝播すると、くずれた３次元流れがさらに異なる箇所においても、新たな３次元流れを誘発しサージングが継続することになる。
【００２６】
ゆえに、仕切板３１を凸状部３０のクロスフローファン２５の回転方向Ｒにおいて逆方向側（すなわち上部）に配置することにより、凸状部３０の近傍で発生した３次元流れを、クロスフローファン２５の軸方向に伝播するのを抑制でき、サージングが発生したとしても速やかに収束させることが出来るので、バサツキ音を抑制することが出来る。
【００２７】
なお、仕切板３１はその設置数量が多いほど、凸状部３０の近傍に発生した３次元流れをクロスフローファン２５の軸方向に伝播するのを抑制でき、バサツキ音軽減効果が期待できる。しかしながら、仕切板３１は、クロスフローファン２５が空気を吸い込む際の通風抵抗体となるので、空力特性の観点からは数量を極小化し、かつ通風抵抗とならない位置への配置が好ましい。
【００２８】
ここで、クロスフローファン２５は、図３に示すように、端板２５ａとブレード２５ｂからなるファン体２５ｃを複数個連結させた構成となっており、クロスフローファン２５に連結されたモーター（図示せず）によって駆動される。端板２５ａでファン体２５ｃは結合しており、またこの端板２５ａでは空気の流れがない。ゆえに、仕切板３１と端板２５ａとを流れ方向に於いて同位置に配置すると通風抵抗の増加を最小限に抑制することが
出来る。
【００２９】
また、両端の側壁近傍では側壁の抵抗の影響で２次元流れがくずれて３次元流れとなる。このため、熱交換器２６などに負荷が加わった場合に吹き出し流れは不安定になり、特に側壁近傍ではその傾向が著しく３次元非定常流れとなる。このことが、バサツキ音が両端の側壁近傍から発生する頻度が高い原因と考えられている。つまり、リアガイダ２８の端部においては、側壁の抵抗により流れが不安定になりやすく、サージングが発生しやすい条件となる。ゆえに、両端部から最も近い端板２５ａと流れ方向に於いて同位置の２カ所のみに仕切板３１を配置したとしてしても、十分なサージング抑制効果を期待できる。
【００３０】
ところで、凸状部３０は、先述のようにクロスフローファン２５に対して流入する空気の流れと、吐出される流れの仕切りとして機能する。すなわち、凸状部３０より上流側ではクロスフローファン２５に空気が流入し、逆に凸状部３０より下流側ではクロスフローファン２５より空気が吹き出すこととなる。
【００３１】
本実施の形態では、仕切板３１とクロスフローファン２５との最近接距離（Ｚ）と、凸状部３０とクロスフローファン２５の最近接距離（Ｙ）の関係をＺ＞Ｙとしている。これは、凸状部３０をクロスフローファン２５との最近接とするものである。仕切板３１をクロスフローファン２５との最近接とした場合は、仕切板３１が存在する場所では、仕切板３１がクロスフローファン２５との最近接、また仕切板３１が存在しない箇所においては、凸状部３０がクロスフローファン２５との最近接となるため、クロスフローファン２５と最近接となる位置関係が変化するので、２次元性がくずれ、空力特性が悪化するからである。ゆえに、Ｚ＞Ｙとすることで空力特性の悪化を招くことなく、凸状部３０の近傍で発生した３次元流れをクロスフローファン２５の軸方向に伝播することが抑制できる。
【産業上の利用可能性】
【００３２】
以上のように、本発明にかかる空気調和機は、吹き出し口の通風抵抗を増加させることなくバサツキ音を軽減することができるので、壁掛け式のみならず各種空気調和機の用途に適用できる。
【符号の説明】
【００３３】
１  室内機
１ａ  本体
２  台枠
３  前面カバー
４  吸い込みグリル
２５  クロスフローファン
２６  熱交換器
２７  スタビライザ
２８  リアガイダ
２９  ケーシング
３０  凸状部
３１  仕切板
【図１】
2014031951.tif 000003
【図２】
2014031951.tif 000004
【図３】
2014031951.tif 000005
【図４】
2014031951.tif 000006
【図５】
2014031951.tif 000007